(57)【要約】      （修正有）【課題】印刷ジョブの実行中にエラーが発生した場合に、手差しトレイを用いる印刷ジョブの操作性を維持しながら、エラー中断中の印刷ジョブが放置されることによるセキュリティ低下を防止できる画像形成装置を提供する。【解決手段】手差しトレイ給紙に関連するエラーが発生した場合に限り、エラー中断中の印刷ジョブを削除するまでの経過時間を、手差しトレイ給紙に関連するエラー以外のエラー中断中の印刷ジョブを削除するまでの経過時間より長くする。【選択図】図５
2018103411.tif 000002
【特許請求の範囲】
【請求項１】
印刷ジョブのエラー中断時間を計測するエラー経過時間計測手段と、エラー中断中の印刷ジョブを削除するまでのエラー経過時間を設定するジョブ削除時間設定手段と、エラーが発生してから前記ジョブ削除時間設定手段によって設定された時間経過するまで印刷ジョブが再開しない場合に当該印刷ジョブを削除する印刷ジョブ削除手段と、印刷ジョブのエラーが関連する給紙先を判断するエラー給紙先決定手段とを備えた画像形成装置であって、前記エラー給紙先決定手段によって決定された給紙先に応じて、前記印刷ジョブ削除手段によってエラー中断中の印刷ジョブを削除するまでのエラー経過時間を変更することを特徴とする画像形成装置。
【請求項２】
請求項１に記載の画像形成装置であって、前記エラー給紙先決定手段によって決定された給紙先からの印刷がすでに成功しているかどうかを判断する手段を備え、前記エラー給紙先決定手段によって決定された給紙先からの印刷がすでに成功していないと判断される場合に限り、前記印刷ジョブ削除手段によってエラー中断中の印刷ジョブを削除するまでのエラー経過時間を変更することを特徴とする画像形成装置。
【請求項３】
請求項１に記載の画像形成装置であって、前記エラー給紙先決定手段によって決定された給紙先から給紙する第一の用紙の情報と、当該給紙動作の前に印刷が成功した実績のある第二の用紙の情報が一致しているかどうかを判断する比較手段を備え、前記比較手段にて前記第一および第二の用紙情報が異なっている場合に限り、前記印刷ジョブ削除手段によってエラー中断中の印刷ジョブを削除するまでのエラー経過時間を変更することを特徴とする画像形成装置。
【発明の詳細な説明】
【技術分野】
【０００１】
本発明は、画像形成システム及び画像形成装置に関するものである。
【背景技術】
【０００２】
従来、印刷ジョブの実行を制御するプリンタやデジタル複合機のような画像形成装置が知られている。印刷ジョブには、たとえばネットワークを介して画像形成装置と通信するクライアントコンピュータから投入されるＰＤＬ（ＰａｇｅＤｅｓｃｒｉｐｔｉｏｎ Ｌａｎｇｕａｇｅ）ジョブが含まれる。また、例えば画像形成装置が備えるスキャナによって原稿上の画像を読み取り、その画像に基づいて印刷を行うコピージョブが含まれる。
【０００３】
画像形成装置において、上記印刷ジョブの実行中にエラーが発生することが考えられる。例えば発生したエラーが用紙無しである場合、印刷ジョブの実行は一時中断され、ユーザが用紙を補充しない限り再開されない。これに対して、用紙無しエラーが発生した場合に、後続ジョブを優先的に実行することが知られている（特許文献１）。
【０００４】
具体例を用いて説明すると、Ａ４サイズの用紙に対して画像を印刷するための印刷ジョブを実行中にＡ４サイズの用紙が無くなると、その印刷ジョブの実行は一時中断され、Ａ４サイズの用紙が補充されない限り再開されない。しかし、この印刷ジョブの後にＡ３サイズの用紙に対して画像を印刷するための印刷ジョブが続いており、かつ、Ａ３サイズの用紙は他の給紙カセットにセットされている場合は、１つ目の印刷ジョブを一時中断させた状態で、２つ目以降の印刷ジョブを先に実行する。これにより、画像形成装置が停止している時間が長引くことによる全体の処理効率の低下を防止することができる。
【先行技術文献】
【特許文献】
【０００５】
【特許文献１】特開平１１−１３４１２２号公報
【発明の概要】
【発明が解決しようとする課題】
【０００６】
上述したように、印刷ジョブの実行中にエラーが発生した場合に、後続ジョブを優先的に実行することによって全体の処理効率の低下を防止することは可能であるが、この問題とは別に、一時中断した印刷ジョブが放置されることによる問題が考えられる。
【０００７】
具体的に、Ａ４サイズの用紙に対して画像を印刷するための印刷ジョブを実行中にＡ４サイズの用紙が無くなり、Ａ４サイズの用紙が補充されない状態が続くと一時中断された印刷ジョブが放置される。印刷ジョブが放置されることは、特に、印刷ジョブに基づいて印刷される内容に機密情報が含まれる場合には、セキュリティの観点で好ましくない。そこで、印刷ジョブの実行中にエラーが発生した場合に、その印刷ジョブの実行を自動的にキャンセルすることが考えられる。しかしながら、印刷ジョブで用いる最適な用紙が所定の給紙先にセットされていないことが原因でエラーが発生する場合、操作性を著しく低下させてしまう。
【０００８】
一般的に、画像形成装置は、同一の用紙をセットしておく給紙カセットと、様々の用紙を簡単に切り替えてセットできる手差しトレイを備える。このような画像形成装置において、給紙カセットにセットされていない用紙を都度切り替えながら印刷ジョブを実行したい場合、手差しトレイを用いて印刷を行う。この時、手差しトレイに残っている用紙を誤って給紙してしまわないように、用紙無しエラーを発生させ、その後ユーザが必要な用紙をセットし直して当該印刷ジョブの実行を継続させるような操作が一般的に行われる。
【０００９】
また、手差しトレイに残っている用紙を誤って給紙してしまうとジャム等のエラーが発生しまう。したがって、手差しトレイ給紙に関連するエラーが発生した後、即座に印刷ジョブが自動的にキャンセルされてしまうと、手差しトレイに必要な用紙をその都度切り替えながら印刷ジョブを実行していくことができなくなり、操作性が低下してしまう。
【課題を解決するための手段】
【００１０】
そこで、本発明は、印刷ジョブのエラー中断時間を計測するエラー経過時間計測手段と、エラー中断中の印刷ジョブを削除するまでのエラー経過時間を設定するジョブ削除時間設定手段と、エラーが発生してから前記ジョブ削除時間設定手段によって設定された時間経過するまで印刷ジョブが再開しない場合に当該印刷ジョブを削除する印刷ジョブ削除手段と、印刷ジョブのエラーが関連する給紙先を判断するエラー給紙先決定手段とを備えた画像形成装置であって、前記エラー給紙先決定手段によって決定された給紙先に応じて、前記印刷ジョブ削除手段によってエラー中断中の印刷ジョブを削除するまでのエラー経過時間を変更することを特徴とする。
【発明の効果】
【００１１】
本発明によれば、手差しトレイを用いる印刷ジョブの操作性を維持しながら、エラー中断した印刷ジョブが放置されることによるセキュリティ低下を防ぐことが可能となる。
【図面の簡単な説明】
【００１２】
【図１】本発明の画像形成装置のスキャナ部及びプリンタ部の各機構部の構成を示す概略断面図である。
【図２】実施例１における、画像形成システムの構成を示すブロック図である。
【図３】実施例１における、画像形成装置が実行する制御プログラムの構成を示すブロック図である。
【図４】実施例１における、画像形成装置の表示部に表示される設定/登録画面の一例である。
【図５】実施例１における、エラー発生時のジョブ制御を示すフローチャートである。
【図６】実施例２における、エラー発生時のジョブ制御を示すフローチャートである。
【図７】実施例３における、エラー発生時のジョブ制御を示すフローチャートである。
【発明を実施するための形態】
【００１３】
以下、本発明を実施するための最良の形態について図面を用いて説明する。
［実施例１］
図１は第１の実施の形態に係る画像形成装置のスキャナ部１００及びプリンタ部２００の各機構部の構成を示す断面図である。
【００１４】
スキャナ部１００の原稿給送トレイ１０１上に積載される原稿を読み取る場合、光学ユニット１０５を所定位置に固定し、ランプ１０４を点灯する。この状態で、原稿給送トレイ１０１上の原稿を１枚ずつ給送することで、光学ユニット１０５に対して原稿を相対的に移動させながら露光する。この時、センサ１１５にて原稿が積載されていることを検知し、原稿給送トレイ１０１上の原稿をピックアップローラ１１１で引き込む。その後、第一搬送ローラ１１２および第二搬送ローラ１１３を介して光学ユニット１０５上を通過させ、排出トレイ１０３に原稿を排出する。
【００１５】
原稿の両面を読み取る場合は、光学ユニット１０５上を通過させた原稿を反転ローラ１１４によってスイッチバックさせることによって読み取り原稿面の表裏を反転させる。その後、再度第二搬送ローラ１１３を介して光学ユニット１０５上を通過させることで原稿裏面を露光する。さらに、もう一度反転ローラ１１４によってスイッチバックさせて排出トレイ１０３に原稿を排出する。
【００１６】
対して、プラテンガラス１０２上にセットされる原稿を読み取る場合、ランプ１０４を点灯し、そして光学ユニット１０５を移動させて、原稿を露光走査する。原稿を露光した際の反射光は、ミラー１０６、１０７、１０８及びレンズ１０９によってＣＣＤ（Ｃｈａｒｇｅ Ｃｏｕｐｌｅｄ Ｄｅｖｉｃｅｓ）イメージセンサ１１０へ導かれる。このように、走査された原稿の画像はＣＣＤイメージセンサ１１０によって読み取られる。ＣＣＤイメージセンサ１１０から出力される画像データは、所定の処理が施された後、コントローラユニット３１０へ転送される。
【００１７】
プリンタ部２００各部の構成を動作と共に詳述すると、プリンタ部２００のレーザドライバ２２１は、レーザ発光部２０１を駆動するものであり、コントローラユニット３１０から出力された画像データに応じたレーザ光をレーザ発光部２０１に発光させる。該レーザ光は感光ドラム２０２に照射され、感光ドラム２０２にはレーザ光に応じた潜像が形成される。該感光ドラム２０２に形成された潜像の部分には、現像器２０３によって現像剤が付着される。
【００１８】
プリンタ部は印刷用紙格納部として、それぞれ引き出し上の形状をしたカセット２０４、カセット２０５、カセット２０６、カセット２０７、そして、機外に露出しているトレイ上の手差しトレイ２０８を備えている。手差しトレイ２０８を除き、カセットを引き出し、そのカセットに印刷用紙を補給し、カセットを閉めることによって印刷用紙の補給を行っている。
【００１９】
そして、レーザ光の照射開始と同期したタイミングで、カセット２０４、２０５、２０６、２０７、手差しトレイ２０８のいずれかから印刷用紙を給紙し、転写部２０９へ搬送路２１０によって、感光ドラム２０２に付着された現像剤を印刷用紙に転写する。現像剤の載った印刷用紙は搬送ベルト２１１によって、定着部２１２に搬送され、定着部２１２の熱と圧力により現像剤は記像紙に定着される。その後、定着部２１２を通過した印刷用紙は搬送路２１３、搬送路２１４を通り、排出される。あるいは、印字面を反転して排出する場合には、搬送路２１５、搬送路２１６まで導かれ、そこから印刷用紙を逆方向に搬送し、搬送路２１７、搬送路２１４を通る。
【００２０】
また、両面記録が設定されている場合は、定着部２１２を通過したあと、搬送路２１５からフラッパ２１８によって、搬送路２１９に印刷用紙は導かれ、その後印刷用紙を逆方向に搬送し、フラッパ２１８によって、搬送路２１６、再給紙搬送路２１９へ導かれる。再給紙搬送路２１９へ導かれた印刷用紙は上述したタイミングで搬送路２１０を通り、転写部２０９へ給紙される。そして、搬送路２１４より排出された印刷用紙は排出ビン２２０へ搬送され積載される。
【００２１】
図２は、第１の実施の形態に係る画像形成装置のハードウェアシステム構成の概略図である。画像形成装置３００は、コントローラユニット３１０、表示部３２０、操作部３３０、プリンタユニット３４０、スキャナユニット３５０から構成される。
【００２２】
表示部３２０はＬＥＤ（Ｌｉｇｈｔ Ｅｍｉｔｔｉｎｇ Ｄｉｏｄｅ）や液晶ディスプレイを備え、オペレータの操作内容や装置の内部状態を表示する。操作部３３０はオペレータから操作を受け付ける。操作部３３０は、複数の操作ボタンを備えるだけでなく、表示部３２０とともにタッチディスプレイとして実現される場合もある。プリンタユニット３４０は図１中のプリンタ部２００に対応し、画像データを紙媒体に印刷する。スキャナユニット３５０は図１中のスキャナ部１００に対応し、原稿を画像データとして読み込む。
【００２３】
コントローラユニット３１０は、ＣＰＵ（Ｃｅｎｔｒａｌ Ｐｒｏｃｅｓｓｉｎｇ Ｕｎｉｔ）１０、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）１１、ＲＯＭ（Ｒｅａｄ Ｏｎｌｙ Ｍｅｍｏｒｙ）１２、ＲＡＭ（Ｒａｎｄｏｍ Ａｃｃｅｓｓ Ｍｅｍｏｒｙ）１３、ＨＤＤ（Ｈａｒｄ Ｄｉｓｋ Ｄｒｉｖｅ）１４、デバイス制御Ｉ／Ｆ（ＩｎｔｅｒＦａｃｅ）１６、表示Ｉ／Ｆ１７、操作Ｉ／Ｆ１８、ネットワークＩ／Ｆ１９から構成される。
【００２４】
ＣＰＵ１０は、画像形成装置３００に内蔵される制御プログラムの実行媒体であり、各Ｉ／Ｆ、記憶媒体のメモリ、専用チップなどを介して、コントローラユニットに接続されるデバイスの動作を制御する。ＡＳＩＣ１１は特定用途向けのチップであり、ＣＰＵ１０とは別に、画像処理などの特定の処理を担う。ＲＯＭ１２は不揮発性メモリ、ＲＡＭ１３は揮発性メモリ、ＨＤＤ１４は磁気ディスク等の記憶媒体である。ＲＯＭ１２またはＨＤＤ１４には制御プログラムなどが記憶され、本制御プログラムは実行時にＲＡＭ１３に展開される。
【００２５】
また、ＲＡＭ１３はＣＰＵ１０上で制御プログラムが実行する際のワークメモリとして動作し、印刷ジョブや印刷対象の画像データ等を記憶する。またＨＤＤ１４にも印刷ジョブや印刷対象の画像データ等が記憶される。なお、前記のＣＰＵ１０、ＡＳＩＣ１１、ＲＯＭ１２、ＲＡＭ１３およびＨＤＤ１４は、図２においてそれぞれ１つしか存在しないが、他の実施形態として複数から構成される場合もあり、それらの構成および接続形態は本実施例に限らない。
【００２６】
デバイス制御Ｉ／Ｆ１６は、コントローラユニット３１０に接続されるデバイス（プリンタユニット３４０、スキャナユニット３５０）との入出力を制御し、デバイスの制御指示やデバイスの状態通知等の通信を行う。デバイス制御Ｉ／Ｆ１６は複数デバイスが接続可能なバス構造として実現されるだけでなく、複数のＩ／Ｆに分割されて、接続されるデバイスと１対１でＩ／Ｆが備えられる場合もある。表示Ｉ／Ｆ１７は表示部３２０への出力を司る。操作Ｉ／Ｆ１８は操作部３３０からの入力を司る。
【００２７】
画像形成装置３００は、外部Ｉ／ＦとしてネットワークＩ／Ｆ１９を持つ。画像形成装置３００は、ネットワークＩ／Ｆ１９を介してネットワークケーブル３７１でインターネットまたはイントラネットであるＬＡＮ／ＷＡＮ（Ｌｏｃａｌ Ａｒｅａ Ｎｅｔｗｏｒｋ／Ｗｉｄｅ Ａｒｅａ Ｎｅｔｗｏｒｋ）３７０に接続される。ネットワークＩ／Ｆ１９は、ネットワークとのデータ入出力を司る。
【００２８】
図３は、第１の実施の形態に係る画像形成装置に内蔵される制御プログラムの構成を示すブロック図である。図３中のＣＰＵ１０、および、ＣＰＵ１０に接続される各Ｉ／Ｆ１６−１９、ＡＳＩＣ１１、ＲＯＭ１２、ＲＡＭ１３、ＨＤＤ１４は、図２中のそれと同じものである。
【００２９】
本発明の第１実施形態である画像形成装置に内蔵される制御プログラムはＲＯＭ１２、ＲＡＭ１３、ＨＤＤ１４のいずれかの記憶媒体に記憶され、これらの記憶媒体を利用しながらＣＰＵ１０上で実行される。本制御プログラムは、表示制御部７、オペレータ操作解釈部８、ネットワークプロトコル処理部９、ジョブ制御部０、画像処理部１、プリンタ制御部２、スキャナ制御部３から構成される。
【００３０】
表示制御部７は、ジョブ制御部０からジョブや装置の状態などの情報を受け取り、その情報を表示画面に反映させるためのコマンドを表示Ｉ／Ｆ１７に対して送信する。オペレータ操作解釈部８は、操作Ｉ／Ｆ１８から操作コマンドを受信し、ジョブ制御部０に対してジョブ開始、中断、再開、終了等の様々な指示を行う。ネットワークプロトコル処理部９はＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）を含む標準ネットワークプロトコルの処理を行うことで、ネットワークＩ／Ｆ１９を介したデータ送受信を実現する。
【００３１】
画像処理部１はスキャナユニット３５０で読み取った原稿画像データを受け取る、または、受け取った画像データがＰＤＬ（Ｐａｇｅ Ｄｅｓｃｒｉｐｔｉｏｎ Ｌａｎｇｕａｇｅ）データである場合はデータの展開を行い、画像を生成する。そして、ＡＳＩＣ１１に対するデータ送受信のタイミングやパラメータ設定を制御することで、画像の伸長圧縮や回転などの画像処理を行う。
【００３２】
プリンタ制御部２は、デバイス制御Ｉ／Ｆ１６を介して給紙指示コマンドなどの印刷制御命令をやりとりすることでプリンタユニット３４０を制御し、画像データを紙媒体に印刷する。また、デバイス制御Ｉ／Ｆ１６を介してエラー状態を取得した際は、ジョブ制御部０にエラー発生状態を通知し、さらに本エラー状態が解除された時にもエラー解除状態を通知する。
【００３３】
スキャナ制御部３は、原稿を画像データとして読み込めるようスキャナユニット３５０をデバイス制御Ｉ／Ｆ１６を介して制御する。ジョブ制御部０は、操作Ｉ／Ｆ１８やネットワークＩ／Ｆ１９から受信したデータをジョブとして受け取り、それぞれのジョブの内容に応じて各デバイスの動作を統括しながらジョブを実行する。例えば、コピー機能のジョブでは、スキャナ制御部３、画像処理部１、プリンタ制御部２を制御してコピー動作を実現するとともに、表示制御部７にジョブの実行状況等の表示指示を出す。
【００３４】
また、ジョブ制御部０は、ジョブ実行中にプリンタ制御部２からエラー発生状態通知を受けた場合は、各デバイスの動作を統括してジョブの実行を一時的に中断する。その後、プリンタ制御部２からエラー解除状態が通知され、当該ジョブの実行が再開可能であるかを判断し、実行可能であると判断した場合のみ当該ジョブの実行を再開させる。
【００３５】
図４は、表示部３２０および操作部３３０がタッチディスプレイとして実現され、ＣＰＵ１０がこのタッチディスプレイ上に表示する画面の一例を示している。図４は、エラー中断中のジョブの自動削除に関する設定画面の一例であり、設定有効ボタン４０１、設定無効ボタン４０２、キャンセルボタン４２１、ＯＫボタン４２２などを備える。
【００３６】
設定有効ボタン４０１と設定無効ボタン４０２は排他関係にあり、有効または無効のいずれかに設定するためのボタンである。設定有効ボタン４０１が押下されると、ＣＰＵ１０は続いて自動削除までの時間４１１を設定できるように画面制御する。ＣＰＵ１０は−ボタン４１２および＋ボタン４１３の押下を検知するごとに、自動削除までの時間４１１の設定値を変更し、０分から９９９分までの範囲で設定できるよう画面制御する。キャンセルボタン４２１は本画面で設定された内容を破棄し、ＯＫボタン４２２は本画面の設定された内容を確定するためのボタンである。
【００３７】
図５は、本発明に係る画像形成装置の制御方法を示すフローチャートであり、エラーが発生し、実行中断中のジョブの制御フローを示している。まず、ＣＰＵ１０はプリンタ制御部２からエラー発生状態通知を受け、ジョブの実行を中断させると、図４で示す設定画面の設定内容を取得する（Ｓ５０１）。設定有効ボタン４０１が設定され、かつ、自動削除までの時間４１１の設定値が０分よりも大きい場合は、続いてエラー発生からの経過時間の計測を開始する（Ｓ５０４）。その後、ＣＰＵ１０はエラー発生からの経過時間が自動削除までの時間４１１を経過しない限り（Ｓ５０５）、プリンタ制御部２からエラー解除状態が通知され、当該ジョブが再開可能であるか判断し続ける（Ｓ５０６）。
【００３８】
エラー解除状態が通知され、ＣＰＵ１０は当該ジョブが再開可能であると判断した場合は、当該印刷ジョブの実行を再開させる（Ｓ５０７）。対して、エラー発生からの経過時間が自動削除までの時間４１１を超過した場合、当該印刷ジョブを削除する（Ｓ５０８）。なお、設定無効ボタン４０２が設定されている場合は、Ｓ５０５にてエラー発生からの経過時間が自動削除までの時間４１１が経過していないと常に判断する。
【００３９】
設定有効ボタン４０１が設定され、かつ、自動削除までの時間４１１の設定値が０分と設定されている場合は、ＣＰＵ１０は発生している印刷ジョブのエラーが手差しトレイ２０８に関連するエラーであるかを判断する（Ｓ５０２）。ここでの手差しトレイ２０８に関連するエラーとは、手差しトレイ２０８から給紙するよう設定されたジョブ実行時に、手差しトレイ２０８に用紙がセットされていないことを示す用紙無しエラーがある。また例えば、手差しトレイ２０８から所定の用紙を給紙するよう設定されたジョブを実行時に、設定とは異なる用紙が手差しトレイ２０８にセットされていることを示す最適用紙無しエラーがある。
【００４０】
また例えば、手差しトレイ２０８にセットされた用紙搬送中のエラー（ジャムなど）がある。ＣＰＵ１０は手差しトレイ２０８に関連エラーであると判断すると、自動削除までの時間４１１の設定値を所定時間（例えば１分）とみなして、Ｓ５０４以降の制御を行う。また、手差しトレイ２０８に関連するエラーでない（例えば、カセット２０４〜２０７での用紙無しなど）場合は、そのまま自動削除までの時間４１１の設定値０分としてＳ５０４以降の制御を行うため、即座にＳ５０８にて当該ジョブを削除する。
【００４１】
［実施例２］
図６は、本発明に係る画像形成装置の制御方法を示すフローチャートであり、エラーが発生し、実行中断中のジョブの制御フローを示しており、Ｓ５０１からＳ５０８は図５で示す処理と同じである。
【００４２】
ＣＰＵ１０はジョブ制御部０により、実行中の印刷ジョブで手差しトレイ２０８から給紙した用紙への印刷が一度でも成功したかどうかを保持する（図示せず）。ＣＰＵ１０は発生している印刷ジョブのエラーが手差しトレイ２０８に関連するエラーであるかを判断した（Ｓ５０２）場合、次に当該印刷ジョブで手差しトレイ２０８から給紙した用紙への印刷が一度でも成功しているか判断する（Ｓ６００）。
【００４３】
ＣＰＵ１０は手差しトレイ２０８から給紙した用紙への印刷が一度でも成功していると判断した場合は、そのまま自動削除までの時間４１１の設定値０分としてＳ５０４以降の制御を行うため、即座にＳ５０８にて当該ジョブを削除する。対して、手差しトレイ２０８から給紙した用紙への印刷が一度も成功していない場合は、Ｓ５０３以降の制御を行う。
【００４４】
これにより、手差しトレイ２０８から給紙した用紙への印刷が一度でも成功している場合のエラーは、ユーザが手差しトレイの用紙を切り替えて使う用途のエラーではないと判断する。即ち、自動削除までの時間４１１の設定時間に従い、エラーが発生してから設定時間だけ経過したら即座に当該印刷ジョブを削除する。
【００４５】
［実施例３］
図７は、本発明に係る画像形成装置の制御方法を示すフローチャートであり、エラーが発生し、実行中断中のジョブの制御フローを示しており、Ｓ５０１からＳ５０８は図５で示す処理と同じである。
【００４６】
ＣＰＵ１０はジョブ制御部０により、手差しトレイ２０８から給紙した用紙への印刷が成功した場合、その用紙情報を保持する（図示せず）。ＣＰＵ１０は発生している印刷ジョブのエラーが手差しトレイ２０８に関連するエラーであるかを判断した（Ｓ５０２）場合、次に当該印刷ジョブで手差しトレイ２０８から給紙しようとする用紙の情報と、ＣＰＵ１０が保持する前述の用紙情報を比較する（Ｓ７００）。ＣＰＵ１０は前記２つの用紙情報が同じであると判断した場合は、そのまま自動削除までの時間４１１の設定値０分としてＳ５０４以降の制御を行うため、即座にＳ５０８にて当該ジョブを削除する。対して、前記２つの用紙情報が異なると判断した場合は、Ｓ５０３以降の制御を行う。
【００４７】
これにより、エラー発生直前まで使っていた手差しトレイ２０８の用紙と同じ用紙を使う印刷ジョブのエラーは、ユーザが手差しトレイの用紙を切り替えて使う用途のエラーではないと判断する。即ち、自動削除までの時間４１１の設定時間に従い、エラーが発生してから設定時間だけ経過したら即座に当該印刷ジョブを削除する。
【符号の説明】
【００４８】
３００  画像形成装置
１００  画像形成装置のスキャナ部
２００  画像形成装置のプリンタ部
３１０  コントローラユニット
１０  ＣＰＵ
０  ジョブ制御部
１  画像処理部
２  プリンタ制御部
３  スキャナ制御部
７  表示制御部
８  オペレータ操作解釈部
９  ネットワークプロトコル処理部
【図１】
2018103411.tif 000003
【図２】
2018103411.tif 000004
【図３】
2018103411.tif 000005
【図４】
2018103411.tif 000006
【図５】
2018103411.tif 000007
【図６】
2018103411.tif 000008
【図７】
2018103411.tif 000009